(57)【特許請求の範囲】
【請求項１】
シャッターの補強材は、スラット上部インターロックの外側をシャッターの補強材のインターロックで挟み囲みスラットに添ってくの字状に曲り
スラットの垂直面に添って下がりＬ型に曲げ水平面を作りその先端を半円形状に成形しシャッターの補強材の断面とする、
シャッターの補強材をスラットに合せ組込むにはレール溝に入る様両端の加工が必要で、
片方はレール幅の約半分の所で水平面に切込みを入れレール溝に入る厚さで折曲げ
残った片方はレールの奥まで入れるのでレール幅で水平面の切込みを入れ、レール幅半分の部分も切れ込みを入れてこの間を切り落とし、
残った水平面もレール溝に入る厚さで折曲げて折曲げたレール受けに戻防止バネのストッパー部を当て戻り防止バネを垂直面に取付けた、シャッターの補強材。
【請求項２】
シャッターの補強をより丈夫にするために、
シャッターの補強材の水平面の半円形状に垂直に縦補強を当て
固定金具で縦補強を挟み込み先端をシャッターの補強材の半円形状に引っ掛けて縦補強を押して
縦補強と固定金具の間を開けてピンを打ち込み固定する、
シャッターの補強材。
【発明の詳細な説明】
【技術分野】
【０００１】
本発明は、台風など強い風に対しシャッターの強度を向上させる補強材に関する物である。
【背景技術】
【０００２】
従来、台風など強い風の影響でシャッターにかかる風圧がスラットを撓わませレールから外れてしまい全体が壊れてしまう、又反対に撓みの繰り返しで外側に吸い出されレールから外れて全体が壊れてしまう、これを防ぐ為に木材を打ち付け固定し対策をしていた。
【０００３】
又鉄材をボルトで強固に組立て対策を施したものが有る。（例えば、特許文献１参照。）。
【先行技術文献】
【特許文献】
【０００４】
【特許文献１】特開平１９−２３７０１号公報
【発明の概要】
【発明が解決しようとする課題】
【０００５】
解決しようとする問題点は、シャッターにかかる風圧がスラットを撓わませレールから外れ全体が壊れたり、又補強のさい組立て解体には工具を必要とし手間や時間を多く必要とした。
【０００６】
この様な事に対しスラットの撓みを減少させ、更に台風強度を向上させる事を求め、又全体の部品点数を減らし尚且つ工具を必要としないで組立て解体が可能になる事を目的としている。
【課題を解決するための手段】
【０００７】
シャッターの補強材は、スラット上部インターロックの外側をシャッターの補強材のインターロックで挟み囲みスラットに添って
くの字状に曲りスラットの垂直面に添って下がりL型に曲げ水平面を作りその先端を半円形状に形成しシャッターの補強材の断面とする。
【０００８】
このシャッターの補強材をスラットに合せ組込むにはレール溝に入る様両端の加工が必要で、
片方はレール幅の約半分の所で水平面に切込みを入れレール溝に入る厚さで折曲げる、
残った片方はレールの奥まで入れるのでレール幅で水平面に切込みを入れてレール幅の約半分の部分も
切込みを入れてこの間を切り落とす残った水平面もレール溝に入る厚さで折曲げレール受けとする、
戻防止バネは押し部とストッパー部と戸当り部で成形され垂直面に取付ける、
戸当り部はレール受けの裏側に当たり戻り防止バネの飛び出しを防いでいる、
ストッパー部はレール溝からシャッターの補強材が脱落するのを防止する、
押し部はシャッターの補強材のレール溝への脱着時に使用する、
シャッターの補強材。
【０００９】
上記のシャッターの補強材をスラットに使う事でシャッターの撓みをおさえ
更にシャッター全体の強度を向上させるにはシャッターの補強材の水平面の半円形状に垂直に縦補強を当て
固定金具で縦補強を挟み込み先端をシャッターの補強材の半円形状に引っ掛けて縦補強を押して
縦補強と固定金具の間を開けてピンを打ち込み固定する。
【発明の効果】
【００１０】
シャッターの補強材をシャッターのスラットに取付ける事により、
スラットのインターロックをシャッターの補強材のインターロックが挟み囲い一体化となり前後の動きを押さえる、
更にＬ型部分にスラットが接触する事によりＬ型から水平面の半円形状までの強度でスラットの撓みを受け止める、
補強材の両端が左右のレールに入り戻防止バネでレール内から外れる事なくシャッターの補強材全体でスラットの撓みを受け止める、
この様に風圧に対する台風強度の向上と前に吸い出される撓みの減少が得られる、
取付けに関しても工具を使用しなくとも短時間での組立て分解が可能である。
【００１１】
上記のシャッターの補強材を数本スラットに使う事により、シャッターの台風強度を向上する事ができる。
【００１２】
更にシャッター全体の強度を向上させるには、
シャッターの補強材の水平面の半円形状に縦の補強材を固定金具で挟みピンで引き締めて固定する事により台風強度を更に向上させる事が出来る。
【図面の簡単な説明】
【００１３】
【図１】シャッターの補強材の全体斜視図
【図２】シャッターの補強材の端斜視図
【図３】シャッターの補強材の組込み始めの上面図
【図４】シャッターの補強材の組込み完成上面図
【図５】スラットとシャッターの補強材と縦補強の組立斜視図
【発明を実施するための形態】
【００１４】
本発明の実施の形態を図1〜図５に基づいて説明する。
【実施例１】
【００１５】
図１は、シャッターの補強材の全体斜視図で、
シャッターの補強材１の端からレール幅２とレール幅半分３にＬ型４の水平面５に切込みを入れその間を切り落とし、
残った水平面５はレール溝６に合わせて折曲げる、折曲げレール受け２０部分に戻防止バネ８のストッパー部２２を当て
少し余裕を取りシャッターの補強材１の垂直面９に戻防止バネ８を取付ける。
図２はシャッターの補強材の端斜視図は上記と同じで有るが、戻防止バネ８が板バネでは無く押し金具１０である。
【００１６】
図３はシャッターの補強材１の組込み始めの上面図で、左レール１２断面にスラット１１が入り
その左レール１２側にシャッターの補強材１をスラットインターロック１３に添わせながら
戻防止バネ８の押し部２１を押してレール溝６に合わせ左レール１２の底に当たるまで押込んだら、スラット１１にシャッターの補強材１を添わせた状態で
反対側の右レール１４の内側に収めスラットインターロック１３の上にシャッターの補強材1が乗った状態である。
【００１７】
図４はシャッターの補強材１の組込み完成上面図で、前の段階ではシャッターの補強材１を左レール１２溝の中に差込まれた状態で
シャッターの補強材をスラットのインターロックに添わせて右レール１４の方へ水平面５が右レール１４の縁に当たるまで移動させ
左側の戻防止バネ８のストッパー部２２が左レール１２から外れ復元した事を確認し組込みが終えた状態、
シャッターの補強材１の加工など左右が入れ代わっても機能は変わらない。
【実施例２】
【００１８】
スラット１１とシャッターの補強材１と縦の補強１６の組立斜視図で、
シャッターの補強材１の水平面の半円形状１７に縦の補強１６を垂直に立て固定金具１８を縦の補強１６を挟み
水平面の半円形状１７に掛け縦の補強１６と固定金具１８の間に上からピン１９を差込み固定金具を引き締め固定し完成、
水平面の半円形状１７はＵ、Ｖ、コの字の形状でもよい。
【産業上の利用可能性】
【００１９】
シャッターに関し風に対するスラットの強度を向上する為のシャッターの補強材に用いるものである。
【符号の説明】
【００２０】
１    シャッターの補強材
２    レール幅
３    レール幅半分
４    Ｌ型
５    水平面
６    レール溝
７    折曲げ
８    戻防止バネ
９    垂直面
１０    押し金具
１１    スラット
１２    左レール
１３    スラットのインターロック
１４    右レール
１５    補強材のインターロック
１６    縦補強
１７    水平面の半円形状
１８    固定金具
１９    ピン
２０    レール受け
２１    押し部
２２    ストッパー
２３    戸当り部
【図１】
0005761634.tif 000002
【図２】
0005761634.tif 000003
【図３】
0005761634.tif 000004
【図４】
0005761634.tif 000005
【図５】
0005761634.tif 000006